(57)【要約】【課題】衣類にしわが発生しやすいという問題点を充分に解決できるようにする。【解決手段】ドラム６を、遠心力が地球の重力加速度未満となる速度で、９０〜２７０度角回転させるのを繰返すほぐしモードを有して、このほぐしモードを衣類を乾燥させる折りに実行するようにしており、それによって、衣類の絡みを少なくできるので、衣類にしわが発生しやすいという従来の問題点を充分に解決することができる。【選択図】図１
2013226282.tif 000002
【特許請求の範囲】
【請求項１】
衣類を収容するドラムと、
このドラムを回転駆動するドラム駆動装置と、
前記ドラムの内部に温風を供給する温風供給装置とを具備し、
前記ドラムを、遠心力が地球の重力加速度未満となる速度で、９０〜２７０度角回転させるのを繰返すほぐしモードを有して、このほぐしモードを前記衣類を乾燥させる折りに実行するようにしたことを特徴とする衣類乾燥機。
【請求項２】
ほぐしモードを、ドラムの一方向の回転についてのみ繰返すことを特徴とする請求項１記載の衣類乾燥機。
【請求項３】
ほぐしモードを、ドラムの少なくとも一方向の回転についての連続の繰返しを含んで、正逆両方向の回転について繰返すことを特徴とする請求項１記載の衣類乾燥機。
【請求項４】
ほぐしモードを、乾燥運転の前期より後期を頻度を多くして実行することを特徴とする請求項１ないし３のいずれかに記載の衣類乾燥機。
【請求項５】
ほぐしモードを、乾燥運転の終了時まで継続して実行することを特徴とする請求項１ないし４のいずれかに記載の衣類乾燥機。
【発明の詳細な説明】
【技術分野】
【０００１】
本発明の実施形態は衣類乾燥機に関する。
【背景技術】
【０００２】
従来より、衣類乾燥機においては、ドラムの内部に衣類が収容され、この状態で、ドラムを回転させることにより、衣類をドラム内の上部に持ち上げてから落下させるということを繰返して撹拌し、それと同時にドラムの内部に温風を供給することにより、上記衣類を乾燥させるようになっている。
このような衣類乾燥機における問題点としては、如上の衣類の撹拌が続けられることで、衣類が相互に絡んでその絡み度合を増し、それによって衣類にしわが発生しやすい点がある。
【０００３】
そこで、その問題点を解決すべく、ドラムをほゞ１／４回転からほゞ１／２回転程度回転させることを繰返すモードを設定し、このモードでドラムを駆動するようにすることが考えられている（例えば特許文献１、２参照）。
【先行技術文献】
【特許文献】
【０００４】
【特許文献１】特開２００８−１９４２５８号公報
【特許文献２】特開２００８−１９４２５９号公報
【発明の概要】
【発明が解決しようとする課題】
【０００５】
しかしながら、上記特許文献１、２に記載のものは、いずれも、ドラムをほゞ１／４回転からほゞ１／２回転程度回転させることを繰返すモードでのドラムの回転速度が、衣類をドラムの内周面に貼り付かせる速度であり、そのドラムの内周面への衣類、特には広げられないままの衣類の貼り付きによって、衣類にはしわが付くことが避けられない。ために、衣類にしわが発生しやすいという問題点を解決することができないものであった。
【０００６】
そこで、衣類にしわが発生しやすいという問題点を充分に解決できる衣類乾燥機を提供する。
【課題を解決するための手段】
【０００７】
本実施形態の衣類乾燥機は、衣類を収容するドラムと、このドラムを回転駆動するドラム駆動装置と、前記ドラムの内部に温風を供給する温風供給装置とを具備し、前記ドラムを、遠心力が地球の重力加速度未満となる速度で、９０〜２７０度角回転させるのを繰返すほぐしモードを有して、このほぐしモードを前記衣類を乾燥させる折りに実行するようにしたことを特徴とする。
【図面の簡単な説明】
【０００８】
【図１】第１の実施形態を示す作用説明図その１
【図２】基台から機内構造の、後方からの斜視図
【図３】機内構造の概略図
【図４】通風路と併せたヒートポンプの概略図
【図５】乾燥行程におけるドラムの回転モードを示すタイムチャート
【図６】作用説明図その２
【図７】作用説明図その３
【図８】第２の実施形態を示す図５相当図
【図９】第３の実施形態を示す図５相当図
【図１０】第４の実施形態を示す乾燥行程のタイムチャート
【図１１】第５の実施形態を示す図１０相当図
【発明を実施するための形態】
【０００９】
以下、ドラム式洗濯乾燥機に適用した第１の実施形態につき、図１ないし図７を参照して説明する。
まず、図２には、ドラム式洗濯乾燥機の基台１から機内構造２を示しており、基台１には、図示しない外箱が結合され、機内構造２を覆うようになっている。機内構造２は、図３にも示すように、水槽３を主体としている。水槽３は、軸方向が前後の横軸円筒状を成すものであり、それを左右一対（図２に一方のみ示す）のサスペンション４により、前上がりの傾斜状に弾性支持している。従って、水槽３は前部が高く、後部が低くなっている。
【００１０】
水槽３の背部には、モータ５を取付けている。モータ５は、この場合、例えば直流のブラシレスモータであって、アウターロータ形であり、図示しない回転軸を水槽３の内部に挿入している。
【００１１】
水槽３の内部には、図３に示すドラム６を収容している。このドラム６も軸方向が前後の横軸円筒状を成すもので、それを後部の中心部で上記モータ５の回転軸の先端部に取付けることにより、水槽３と同軸の後下がり(前上がり)の傾斜状に支持している。この結果、ドラム６はモータ５により直に回転されるようになっており、従って、ドラム６は回転槽であり、水槽３はドラム６を収容した外槽であって、モータ５はドラム６を回転させるドラム駆動装置として機能するようになっている。
【００１２】
なお、ドラム６の周側部（胴部）には、脱水及び通風用の小孔を図示しないが全域にわたって多数形成すると共に、図１及び図６、図７に示す衣類掻き上げ用のバッフル６ａを複数（図示例は３個）設けている。
このほか、水槽３については、これも図示しないが、水槽３の内部からドラム６の内部に給水する給水弁を初めとする給水装置と、ドラム６から水槽３内の水を外部に排出する排水弁を初めとする排水装置を設けている。
【００１３】
一方、水槽３の後方である外箱内の後下部には、図２及び図３に示すヒートポンプユニット９を送風ファン１０と共に配置している。ヒートポンプユニット９は、ユニットケース１１の内部に、図４に示すアキュムレータ１２を併設した圧縮機１３と、凝縮器１４、絞り器である絞り弁１５、及び蒸発器１６を配設して成るもので、それらを図４に示す順に接続することによって、ヒートポンプ（冷凍サイクル）１７を構成している。なお、ヒートポンプ１７には冷媒を封入しており、又、ユニットケース１１内では、詳しくは図示しないが、凝縮器１４及び蒸発器１６を通る風路と、圧縮機１３及び絞り弁１５を配置したスペースとを仕切壁により隔てている。
【００１４】
ユニットケース１１の図２及び図３で左側端部の上部には、上記凝縮器１４及び蒸発器１６を通る風路に連なる入気口１８を形成しており、この入気口１８には、水槽３についての排気ダクト１９を接続している。排気ダクト１９は、第１の排気ダクトである上部排気ダクト１９ａと、第２の排気ダクトである後部排気ダクト１９ｂとから成るものであり、そのうちの後部排気ダクト１９ｂを水槽３の背部に上下方向に指向させて配設し、その下端部を上記ユニットケース１１の入気口１８に接続している。
【００１５】
上部排気ダクト１９ａは、水槽３の外周部中の上部に前後の軸方向に指向させて配設しており、その後端部に上記後部排気ダクト１９ｂの上端部を接続している。上部排気ダクト１９ａの前部には、上方へ開放するフィルタ収納部２０を設けており、このフィルタ収納部２０に図３に示すフィルタ２１を収納し、もっぱら衣類から散出する糸くずを捕獲するようになっている。上部排気ダクト１９ａの前端部は、図２に示す蛇腹状のダクト継手２２を介して、水槽３の上部の前部に形成した排気口２３に接続している。
【００１６】
送風ファン１０は、図３に示すケーシング１０ａの内部に送風羽根１０ｂを配設し、この送風羽根１０ｂを回転駆動するモータ１０ｃを図４に示すようにケーシング１０ａの外部に配設して成るもので、ケーシング１０ａをユニットケース１１の図２で右側部に配置して、該ケーシング１０ａの入口部（図示せず）をユニットケース１１の前記凝縮器１４及び蒸発器１６を通る風路の出口部（図示せず）と連通させている。又、ケーシング１０ａは出口部１０ｄを上部に有しており、その出口部１０ｄを、蛇腹状のダクト継手２４を介して、給気ダクト２５の下端部に接続している。
【００１７】
給気ダクト２５は水槽３の背部に配設しており、それに対して、水槽３の後部、中でも後端板部の上部には、給気口２６を形成し、この給気口２６に給気ダクト２５の上端部を連通させている。
【００１８】
以上の、ダクト継手２２、排気ダクト１９（上部排気ダクト１９ａ、後部排気ダクト１９ｂ）、ユニットケース１１の凝縮器１４及び蒸発器１６を通る風路、送風ファン１０のケーシング１０ａ、ダクト継手２４、給気ダクト２５により、水槽３の排気口２３と給気口２６とを接続する通風路２７を構成している。なお、ドラム６には、後壁部に図示しない通風孔群をドラム６の回転方向に環状に形成しており、給気口２６からはその通風孔群を通して給風するようにしている。
【００１９】
図４は、通風路２７を前記ヒートポンプ１７と併せて概略的に示しており、そのほか、排気ダクト１９内に設けた排気温度センサ２８、並びに給気ダクト２５内に設けた給気温度センサ２９をも示している。
又、図３は、以上の機内構造２を概略的に示している。
そのほか、図示しないが、洗濯乾燥機の運転全般を制御する例えばマイコンを主体とする制御装置を有している。
【００２０】
次に、上記構成の洗濯乾燥機の作用を述べる。
上記構成の洗濯乾燥機では、標準的な運転コースが開始されると、図示しない制御装置により、洗濯行程、脱水行程、及び乾燥行程が順に実行される。
【００２１】
洗濯行程には、洗い運転とすすぎ運転とがあり、そのうちの洗い運転では、図示しない給水装置により水槽３からドラム６内に給水する動作が行われ、続いて、モータ５が作動されることにより、ドラム６が地球の重力の加速度より小さな遠心力を発生する、すなわち遠心力が地球の重力の加速度未満となる例えば４０〜６０〔ｒｐｍ〕程度の低速度で正逆両方向に交互に回転される。特には、この場合、ドラム６は４７〔ｒｐｍ〕の速度で回転されるものであり、これにより、ドラム６に収容された衣類が、ドラム６内の上部に持ち上げられてから落下されるということを繰返して撹拌され、洗浄される。その後、図示しない排水弁が開放されて、ドラム６及び水槽３内の水が機外に排出される。
すすぎ運転では、上記洗い運転と同様の動作が行われるものであり、それにより、洗い後の衣類がすすがれる。
【００２２】
脱水行程では、ドラム６が一方向に高速回転され、それによって洗濯後の衣類が遠心脱水され、同時に上記排水弁が開放されて、脱水によりドラム６内から排出された水が機外に排出される。
【００２３】
乾燥行程では、ドラム６が洗濯行程と同様の、遠心力が地球の重力の加速度未満となる例えば４０〜６０〔ｒｐｍ〕程度の低速度で回転されつつ、送風ファン１０が作動される。この送風ファン１０の作動で、ドラム６内の空気が、水槽３の排気口２３からダクト継手２２及び排気ダクト１９を順に通して水槽３外に出される。この水槽３外に出された空気は、その後、ユニットケース１１の凝縮器１４及び蒸発器１６を通る風路、送風ファン１０、ダクト継手２４、給気ダクト２５を順に通して、すなわち通風路２７を通して、水槽３の給気口２６から水槽３内に吹き込まれ、そしてドラム６の後壁部の通風孔群を通してドラム６内に戻す循環が行われる。
【００２４】
又、このときには、ヒートポンプ１７の圧縮機１３の作動が開始される。これにより、ヒートポンプ１７に封入された冷媒が圧縮されて高温高圧の冷媒となり、その高温高圧の冷媒が凝縮器１４に流れて、ユニットケース１１内の凝縮器１４及び蒸発器１６を通る風路の空気と熱交換する。その結果、ユニットケース１１内の凝縮器１４に接触する空気が加熱され、反対に、冷媒の温度は低下して液化される。この液化された冷媒が、次に、絞り弁１５を通過して減圧された後、蒸発器１６に流入し、気化する。それにより、ユニットケース１１内の蒸発器１６に接触する空気が冷却される。この蒸発器１６に接触する空気を冷却することでその熱を奪った冷媒は、その後、圧縮機１３に戻る。
【００２５】
これらにより、前記送風ファン１０の作動によって水槽３内から前記通風路２７中のユニットケース１１内の凝縮器１４及び蒸発器１６を通る風路に流入した空気は、蒸発器１６で冷却されて除湿され、その後に凝縮器１４で加熱されて温風化される。そして、その温風が通風路２７の後段（給気ダクト２５）を通して水槽３の給気口２６から水槽３内に吹き込まれ、そしてドラム６後壁部の図示しない通風群を通しドラム６内に吹き込まれて供給される。従って、通風路２７と送風ファン１０及びヒートポンプ１７の凝縮器１４は、温風供給装置３０として機能するものである。
【００２６】
ドラム６内に送り入れられた温風は、ドラム６内の衣類と接触してその水分を奪い、その後に水槽３の排気口２３から通風路２７の前段（排気ダクト１９）を経てユニットケース１１内の凝縮器１４及び蒸発器１６を通る風路に流入する。
このようにして、ユニットケース１１内の凝縮器１４及び蒸発器１６を通る風路とドラム６を有する水槽３内との間を空気が循環することにより、ドラム６内の衣類が漸次乾燥される。
【００２７】
さて、この乾燥行程において、ドラム６が洗濯行程と同様の、遠心力が地球の重力の加速度未満となる例えば４０〜６０〔ｒｐｍ〕程度の低速度で回転されることは既述のとおりであるが、特には、この場合、洗濯行程より若干遅い４５〔ｒｐｍ〕の速度で回転される。そして、このときのドラム６の回転角度は９０〜２７０度角に定めており、特には１８０度角に定めている。又、その停止は空転によるものではなく、モータ５の正端子と負端子との間を短絡させることで生じる逆起電圧によりモータ５を素早く止める短絡制動による強制停止である。更に、その回転動作は繰返すものとしている。
【００２８】
すなわち、この乾燥行程においては、ドラム６は、遠心力が地球の重力加速度未満となる速度で、９０〜２７０度角（特には１８０度角）回転させるのを繰返すモード（ほぐしモード）を有しており、このほぐしモードを実行する。
図５は、この実行するほぐしモードを示しており、特には、この場合、ドラム６の例えば正方向である時計回りの一方向の回転（正転）についてのみ繰返すものとしている。
【００２９】
図１は、このときの１度の回転動作におけるドラム６内の衣類の様子を示しており、図（ａ）に示すようにドラム６が停止して衣類がドラム６内の底部に位置する状態から、図（ｂ）に示すようにドラム６がほゞ１／４（約９０度角）回転することにより、衣類がドラム６内の上部に持ち上げられ、頂部に達する前の時点で、図（ｃ）に示すように衣類が１回反転されてドラム６内の底部に落下される。
この衣類が反転されて落下されるのは、ドラム６の１度の回転動作で３回以下となることが重要であり、その３回以下であれば、衣類の絡みは少なく、絡んだとしても、従来の多数回の反転落下をするものとは異なり、深いしわにはならない。このため、ドラム６のほゞ１／４（約９０度角）回転ずつの動作でドラム６内の衣類が１回ずつ反転落下をするものとみて、その反転落下を３回以下に留めるべく、ドラム６の回転角度は９０〜２７０度角に定めているのである。
【００３０】
なお、従来のものの乾燥行程におけるドラム６の回転動作は、正転及び逆転ともに３０〔秒〕間ずつであり、４５〔ｒｐｍ〕速度で回転されると、正転及び逆転ともに２２．５回ずつ回転される。この多くの連続した回転では、衣類は多数回の反転落下を続け、それによって深いしわが生じることが確認されている。
それに対して、ドラム６の１度の回転動作における回転角度を９０〜２７０度角に定めて実行すれば、ドラム６の１度の回転動作による衣類の反転落下は３回以下となるので、それにより、衣類の絡みは少なくなり、絡んだとしても、従来の多数回の反転落下をするものとは異なり、深いしわにはならない。このようにして、衣類にしわが発生しやすいという従来の問題点を充分に解決できるものである。
【００３１】
ドラム６の一度の回転動作による衣類の反転落下の回数は、衣類のしわの防止に関しては、少ないほど良いのであるから、１回が好ましいが、衣類の乾燥性能も加えて考慮すれば、それよりやゝ多い３回とすることが好ましい。
なお、このほぐしモードにおけるドラム６の停止については、それが少しの時間続くものであっても良い。すなわち、ドラム６の回転の各間に少しずつの停止時間を置くようにしても良い。
【００３２】
このように、上記構成の洗濯乾燥機（衣類乾燥機）においては、ドラム６を、遠心力が地球の重力加速度未満となる速度で、９０〜２７０度角回転させるのを繰返すほぐしモードを有して、このほぐしモードを衣類を乾燥させる折りに実行するようにしており、それによって、衣類の絡みを少なくできるので、衣類にしわが発生しやすいという従来の問題点を充分に解決することができる。
【００３３】
加えて、上記構成の洗濯乾燥機においては、ほぐしモードを、ドラム６の一方向の回転についてのみ繰返すようにしている。ドラム６の回転方向が一方向であっても、ドラム６の９０〜２７０度角の回転が繰返されれば、衣類の絡みを少なくできるのは上述のとおりである。それに加えて、ほぐしモードを、ドラム６の一方向の回転についてのみ繰返すようにすることにより、衣類の乾燥むらを低減でき、乾燥効率も良くすることができる。
【００３４】
これを詳述すると、図６は、ほぐしモードを、ドラム６の正逆両方向の回転について交互に繰返すもののドラム６内の衣類の様子を示している。同図の図（ａ）に示すようにドラム６が停止して衣類がドラム６内の底部に位置する状態において、図で左側のＡ群の衣類と、図で右側のＢ群の衣類とについて見てみると、図（ｂ）に示すようにドラム６が正（時計回り）方向に回転したときは、Ａ群の衣類が給気口２６の臨む位置に至る。この後、図（ｃ）に示すように衣類が反転されてドラム６内の底部に落下されると、Ａ群の衣類とＢ群の衣類との位置が最初の位置とは入れ替わる。そして、その後、図（ｄ）に示すようにドラム６が逆（反時計回り）方向に回転したときは又、Ａ群の衣類が給気口２６の臨む位置に至る。
【００３５】
これが繰返されて、給気口２６の臨む位置には毎回Ａ群の衣類が至ることになり、その結果、Ａ群の衣類のみがよく乾燥されて、Ｂ群の衣類はよく乾燥されないこととなり、乾燥むらを生じる。又、乾燥効率も良くない結果となる。
【００３６】
それに対して、図７は、ほぐしモードを、ドラム６の一方向の回転についてのみ繰返すもののドラム６内の衣類の様子を示している。同図の図（ａ）に示すようにドラム６が停止して衣類がドラム６内の底部に位置する状態において、上述同様に図で左側のＡ群の衣類と、図で右側のＢ群の衣類とについて見てみると、図（ｂ）に示すようにドラム６が正方向に回転したときは、Ａ群の衣類が給気口２６の臨む位置に至る。この後、図（ｃ）に示すように衣類が反転されてドラム６内の底部に落下されると、Ａ群の衣類とＢ群の衣類との位置が最初の位置とは入れ替わる。これまでは上述と同じであり、その後、図（ｄ）に示すようにドラム６が正方向に回転したときは、Ｂ群の衣類が給気口２６の臨む位置に至る。
【００３７】
これが繰返されて、給気口２６の臨む位置にはＡ群の衣類とＢ群の衣類とが交互に至ることになり、その結果、Ａ群の衣類及びＢ群の衣類がともによく乾燥されることとなり、むらなく乾燥できる。又、乾燥効率も良くすることができる。
【００３８】
以上に対して、図８ないし図１１は第２ないし第５の実施形態を示すもので、それぞれ、第１の実施形態と同一の部分には同一の符号を付して説明を省略し、異なる部分についてのみ述べる。
【００３９】
［第２の実施形態］
図８に示す第２の実施形態においては、ほぐしモードを、ドラム６の反時計回りの一方向、すなわち逆方向の回転（逆転）についてのみ繰返すものとしている。
このようにしても、第１の実施形態と同様に、給気口２６の臨む位置には前記Ａ群の衣類と前記Ｂ群の衣類とが、ドラム６の回転方向の逆転により順序を変えつつも、交互に至ることになり、その結果、Ａ群の衣類及びＢ群の衣類がともによく乾燥されることとなり、むらなく乾燥できる。又、乾燥効率も良くすることができる。
【００４０】
［第３の実施形態］
図９に示す第３の実施形態においては、ほぐしモードを、ドラム６の正逆両方向の回転についてのそれぞれ連続の繰返しを含んで繰返すようにしている。
このようにすることにより、給気口２６の臨む位置に至る衣類が、前記Ａ群の衣類とＢ群の衣類とで交互となったり、一様となったり、更には交互となる順序を変えたりして様々となり、よりむらなく乾燥できると共に、乾燥効率も更に良くすることができる。
【００４１】
なお、この場合、ドラム６の回転方向の順序は、要するに正→正→逆→逆→正→正→逆→逆…であるが、正→正→逆→逆→正→逆→正→正→逆→逆…や、正→逆→逆→正→逆→逆→正…などとなるものであっても良いもので、要するに、ドラムの少なくとも一方向の回転についての連続の繰返しを含んで、正逆両方向の回転について繰返すものであれば良い。
【００４２】
［第４の実施形態］
図１０に示す第４の実施形態においては、ほぐしモードを、乾燥運転をする乾燥行程の前期より後期を頻度を多くして実行するようにしている。例としては、乾燥行程の前期におけるほぐしモードの実行頻度を、通常のモードを５〔分〕間行って、ほぐしモードを１〔分〕間行う頻度とし、乾燥運転の後期におけるほぐしモードの実行頻度を、通常のモードを１〔分〕間行って、ほぐしモードを５〔分〕間行う頻度としている。
【００４３】
なお、この場合、通常のモードは、従来のものの乾燥行程における運転モードと同じで、正転及び逆転ともに３０〔秒〕間ずつ繰返すものであり、それが４５〔ｒｐｍ〕の速度で回転されることにより、正転及び逆転ともに２２．５回ずつ回転されるモードである。又、乾燥行程の前期と後期の境は、衣類の乾燥率が例えば８８〜９０〔％〕に達した時点であり、それの判断を、時間の経過や、前記排気温度センサ２８及び給気温度センサ２９の検知結果から判断する衣類の乾燥率の変化、図示しない排気湿度センサ及び給気湿度センサ２９の検知結果から判断する除湿量の変化、前記モータ５の回転数（負荷）から判断する衣類重量の変化、前記排気温度センサ２８及び給気温度センサ２９の検知結果から判断する温度の変化等により行う。
【００４４】
しわのない乾燥を行うには、衣類の乾燥率に応じた乾燥制御を実行することが重要である。衣類の乾燥を行うとき、衣類にしわが付いても、衣類に水分が多く残っていて撹拌をしているうちにしわが取れる運転区間は重要ではない。重要なのは、衣類の乾燥率が進んで特に８８〔％〕付近から１００〔％〕の間に衣類にしわが付いた状態で乾燥が進行した場合に、しわが固定されやすく仕上がり具合の悪い乾燥となりやすいので、この区間をどのように乾燥させるかである。
【００４５】
そこで、この第４の実施形態では、ほぐしモードを、乾燥運転の前期より後期を頻度を多くして実行するようにしているのであり、それによって、衣類にしわが固定されやすい運転区間（後期）でしわが深く固定されるのを回避しながらの乾燥運転ができるようになる。又、乾燥運転の前期には、ほぐしモードの実行頻度を少なくして、通常のモードを多く実行することにより、乾燥性能を良好に確保することができ、乾燥終了までの時間が長延化することを避けることができる。
【００４６】
［第５の実施形態］
図１１に示す第５の実施形態においては、ほぐしモードを、乾燥運転の終了時まで継続して実行するようにしている。具体的には、この場合も、衣類の乾燥率が例えば８８〜９０〔％〕に達するまでは、通常のモードを実行し、その後（乾燥率が例えば８８〜９０〔％〕に達して以後）にほぐしモードを実行して、このほぐしモードを乾燥運転の終了時まで継続するようにしている。
【００４７】
なお、この場合の通常のモードも、従来のものの乾燥行程における運転モードと同じで、正転及び逆転ともに３０〔秒〕間ずつ繰返すものであり、それが４５〔ｒｐｍ〕の速度で回転されることにより、正転及び逆転ともに２２．５回ずつ回転されるモードである。又、この場合の衣類の乾燥率が例えば８８〜９０〔％〕に達した時点の判断は、第４の実施形態と同様に行うようにしている。
このようにすることにより、ほぐしモードの実行後に衣類が再び多く絡むことのないようにできて、衣類をより確実にしわ付き少なく乾燥させることができる。
【００４８】
なお、以上の洗濯乾燥機（衣類乾燥機）において、温風の生成はヒートポンプによらず、電気ヒータによるものであっても良い。又、洗濯、脱水機能もなくても良い。更に、ドラム６の周側部にバッフル６ａを複数設けたものを例示したが、これはドラム６の回転による遠心力が地球の重力加速度未満である状況下で衣類を持ち上げるのに有効であるものの、乾燥中の衣類は湿っていてドラム６の内面との摩擦が大きく、そのままでも持ち上がるため、バッフル６ａは必ずしも必要ない。
【００４９】
そのほか、本発明の幾つかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００５０】
図面中、５はモータ（ドラム駆動装置）、６はドラム、３０は温風供給装置を示す。
【図１】
2013226282.tif 000003
【図２】
2013226282.tif 000004
【図３】
2013226282.tif 000005
【図４】
2013226282.tif 000006
【図５】
2013226282.tif 000007
【図６】
2013226282.tif 000008
【図７】
2013226282.tif 000009
【図８】
2013226282.tif 000010
【図９】
2013226282.tif 000011
【図１０】
2013226282.tif 000012
【図１１】
2013226282.tif 000013